(57)【要約】【課題】従来の手持ちタイプ小型電気掃除機を、ヘアードライヤー並みの手ごろな質量感、取り扱いやすさ、一層の小型化、キャラクターデザインを採用する等、デザインの一新を図り、開発しようとするもので、且つアタッチメント収納ケースも本体にセット、一体化できる手持ちタイプの個人用、或いは手元作業用小型電気掃除機を掃除機としての機能を損なわずに提供する。【解決手段】本体側面に折りたたみ式取っ手，ハンドルバー等を装着、形成する仕様を持つ掃除機本体に、各種ノズル、電源用コード等の付属品を収納できるアタッチメントケースを、一体にセットすることにより構成されるヘアードライヤー並みの小型軽量、片手で取り扱いやすい手ごろ感と手軽さ、インテリア仕様の個性的デサインを可能にする手持ちタイプの小型電気掃除機を、掃除機としての機能を損なわずに実現した。【選択図】        図２
2004261322.tif 000002
【特許請求の範囲】
【請求項１】
手持ちタイプ小型電気掃除機であって、前方に吸い込みノズル差込み口１４付き集塵ダスト２と、電動送風機１２、１３を内蔵し、側面の一部に排気口５、後部に排気、放熱口１０、本体ハウジング１の外縁中央部に、一列に、帯状のベルト４を、等分に２分割された、２本の各々片端を反対方向へ回動できるようピン止め装置部品２０で固定し、他方は、フック止め解放装置部品２１等で自在に連結、解放できるようにした帯状ベルト４を装着している。前記２本の帯状ベルトの固定していない一方のフック止め解放装置部品２１等で連結している部分を解放し、それぞれ反対方向へ１８０度回動、２本の帯状ベルトを合体し、摺動しないようにホックボタン２２、２３等で固定することによって、取っ手、ハンドルバー図―１の４として機能する本体図４、及び付属ノズル１６，１７、電源用コード９等の付属品を備えている。また前記付属品を収納できるアタッチメントケース３を、一体にセットできるようにしている小型軽量、手ごろな質量感をもつ、片手での取り扱いやすさと手軽さを特徴とする手持ちタイプの小型電気掃除機。
【請求項２】
本体図４側面に折りたたみ式取っ手、ハンドルバーを装着している「請求項１」の小型電気掃除機。
【請求項３】
一般家庭用等、交流電源を電源としている「請求項１」「請求項２」の小型電気掃除機。
【請求項４】
自動車用等、直流電源を電源としている「請求項１」「請求項２」の小型電気掃除機。
【請求項５】
ペット専用ブラシノズル１９を付属品として備えている「請求項１」「請求項２」「請求項３」「請求項４」の小型電気掃除機。
【請求項６】
細管ピンホールノズル１８を付属品として備えている「請求項１」「請求項２」「請求項３」「請求項４」の小型電気掃除機。
【発明の詳細な説明】
【０００１】
【発明が属する技術分野】
本発明は、手持ちタイプの小型電気掃除機に関するものである。
【０００２】
【従来の技術】
従来の手持ちタイプの小型電気掃除機は、電動送風機を内蔵し、前方に吸い込みノズル差し込み口、付属品に隙間ノズル、平型ノズル、下部及び側面の一部に排気口、後部に放熱口、及び上部に取っ手を備えている本体を持った、手持ちタイプの小型電気掃除機であるが、手持ちタイプとしては本体が大きく、片手での使用には、１キログラム前後有り重すぎる。加えて、アタッチメントを装着しての操作は、煩わしく、また取り扱いに難がある。また、付属品ノズルの種類も少なく、本発明のようなアタッチメント収納ケースを設けていない。
【０００３】
【発明が解決しようとする課題】
解決しようとする問題点は、電動送風機を内蔵し、前方に吸い込み口付き集塵ダスト、側面の一部に排気口、後部に放熱口を備えた本体を持っている従来の手持ちタイプ小型電気掃除機を、手ごろな質量感と、片手での取り扱いやすさと手軽さ、より一層の小型化、より軽量化、デザインの一新を目指し、開発している本体図４と、アタッチメント収納ケース図７も本体図４にセット、一体化図３できる構成にしている。また、この機能を備えた個人用或いは手元作業用の手持ちタイプの小型電気掃除機は、見当たらない。
【０００４】
また、手持ちタイプの小型電気掃除機は、その使用目的、機能、機動性から、手元近くに置いて、手軽に使用されるところに存在価値、機能を発揮するものと思われる。したがって、本発明のように付属品を含めた、掃除機全体の、重量、置き場所を選ばない大きさと形状、個性的デザインを採用できる、個人用或いは手元作業用として掃除機本来の機能を損なわずに実現する。
【０００５】
なお、本発明は一般家庭の床以外の場所、家具、書籍棚、事務ＯＡ機器、エアコンフィルターほか家電製品等の掃除清掃、灰燼、塵、埃の除去、及び自動車車内等の掃除清掃、灰燼、塵、埃の除去を主目的とする
【０００６】
【課題を解決するための手段】
本発明は、本体ハウジング１の側面に取っ手ハンドルバー図１の４に態様を変更できる帯状ベルト４を装着、前方に吸い込み口１４ノズル差込み口付き集塵ダスト２、付属品ノズル１６，１７，１８，１９を品揃えし、収納時には、前記付属品を収納するアタッチメントケース３を有し、本体ハウジング１、集塵ダスト２とアタッチメントケース３を一体にセット図３できる構成となっている。掃除機として使用する場合には、アタッチメントケース３を取り外して、付属品ノズル１６，１７，１８，１９のうち、所要のノズルをノズル差込み口１４にセットして使用する。手持ちタイプの小型、軽量、手ごろな質量感、思い通りの扱いやすさと手軽さ、置き場所を選ばない、個性的なインテリア仕様デサインの可能性を併せ持っていることを特徴とする手持ちタイプの個人用或いは手元作業用に小型電気掃除機を提供することにある。
【０００７】
また、上記の本発明は、本体図４の重量を約４００ｇ、長さを約１５０ｍｍ、形状が丸型円筒形の場合で最大部分の直径を約１００ｍｍ、アタッチメントケース３を本体図４にセット、一体化した時図３の全長サイズは３５０ｍｍ以内、とするのが最も望ましい仕様である。片手での作業に最も使い勝手のよい、お手頃サイズを特徴とする、手持ちタイプの個人用或いは手元作業用小型電気掃除機を掃除機本来の機能を損なわずに、実現して提供する。
【０００８】
【発明の実施の形態】
以下、添付図面を参照して本発明の好ましい実施例を説明する。
【０００９】
【実施例】
図１乃至図１１は一例として本発明の手持ちタイプ小型電気掃除機を示したものであり、図１はその全体の外観図、図３は縦断正面図、図２は図４のベルト部分４を取っ手ハンドルバーに組み変えた時の外観図、図４は手持ちタイプ小型電気掃除機の本体部分の縦断正面図である。
図５は図４の帯状ベルト４を分割、ピン止め固定装置部品２０の断面図、図６は前記ピン止め固定装置部分に対向する反対側、帯状ベルト４のフック止め解放装置部品の断面図である。図７はキャップ内装付きアタチメントケース３、図８乃至図１１は付属品ノズル１６，１７，１８，１９の全体斜視図である。
【００１０】
図１乃至図７に示すように、本発明の手持ちタイプ小型電気掃除機は、側面に折りたたみ式取っ手ハンドルバーに組み変え可能の帯状ベルト４を装着、形成する本体ハウジング１（電動機、吸入送風ファン、強弱切切り替えスイッチ電源プラグ等を内蔵）に、ノズル差し込み口付き集塵ダスト２と、アタッチメントケース３とを組み合わせて構成されており、セット一体化したものである。
【００１１】
掃除機本体図４は、折りたたみ式取っ手ハンドルバーに組み変え可能の帯状ベルト４を装着、形成する本体ハウジング１（電動機、吸入送風ファン、強弱切切り替えスイッチ電源プラグ等を内蔵）に、ノズル差し込み口付き集塵ダスト２とを組み合わせたものからなり、内部の補修、点検、清掃等メンテナンスを考慮して必要なときに取り外し分割できるように構成されている。
【００１２】
本体１側面の周囲一列に等分に２分割した帯状ベルト４を設ける。その２本は各々片端を反対方向に回転できるよう、同一個所にピン止め装置部品２０等で固定し、他方は、各々フックで自在に連結、解放できるようにフック止め解放部品２１を設けた帯状ベルト４が設けられている。
【００１３】
前記２本の各々の帯状ベルト４は、それぞれ、ピン止め装置部品で固定されている支点を基点として、それぞれ反対方向へ１８０度回転して、２本の帯状ベルトを合体、摺動しないようにホックボタン２２，２３等で固定することにより、その形状が取っ手ハンドルバー図２の４を形成する。
【００１４】
さらに、本体ハウジング側面に折りたたみ式取っ手ハンドルバーを装着、形成する本体図４には、帯状ベルト４の本体ハウジング１側に帯状ベルト４の幅、厚さにデザイン性を加味した嵌め込み用の適度の凹溝を設けて嵌め込み装着、安全容易に固定させる構造になっている。
【００１５】
アタッチメントケース３は、キャップ付きで掃除機本体図４にセットできるように形成し、付属品ノズル図８、図９、図１０、図１１を収納できるスペースを確保し、散逸しないように、保管、管理するために必要である。そのためには掃除機の使用時以外は、常に掃除機本体図４とセットされ、取り扱いも簡便で掃除機の置き場所等を選ばず、困らないことが要求される。また使用時には、使用するノズル以外の付属品ノズルを散逸しないように構成されている。
【００１６】
以上、「各種の付属品ノズルを品揃えし、収納時には、付属品を収納できるアタッチメントケース３を本体図４へ一体にセット図２できる、手持ちタイプの小型、軽量、手ごろな質量感、思い通りの扱いやすさと手軽さ、置き場所を選ばない、インテリア物仕様の楽しい個性的デサインの採用を可能にすることを特徴とする。」という目的を、掃除機としての本来の機能を損なわずに、イメージを一新して実現している。
【００１７】
なお、図２は、本発明装置の一実施例の断面図であって、「請求項１」の手持ちタイプの小型電気掃除機本体１部分と吸い込みノズル差し込み口付き集塵ダスト２部分、及びアタッチメントケース３とをセット、構成した、縦断正面図である。
【発明の効果】
以上説明したように本発明の利点は、既存する手持ちタイプの小型電気掃除機を、一層の小型化、より軽量化のうえで、デザインを一新してより個性的なインテリア物化を図るとともに、取っ手、ハンドルバー図２の４を形成できる帯状ベルト４等を装着することによって、より手軽に、手ごろな質量感と、取り扱い易さを体感、実現するとともに、作業負担、家事労働の軽減をも図ることができる。
【図面の簡単な説明】
【図１】本発明の手持ちタイプ小型電気掃除機の一実施例を示す全体斜視図。
【図２】本体ハウジング１の帯状ベルト４をピン止め装置部品で固定されている支点を基点として、反対方向へ１８０度回動して、各々の２本の帯状ベルト４を合体、摺動しないようにホックボタン等で固定、取っ手ハンドルバーを形成した場合の全体斜視図。
【図３】本発明の手持ちタイプ小型電気掃除機の一実施例を示す全体従断正面図。
【図４】本体ハウジング１と吸入ノズル差込口付き集塵ダスト２を連結、構成した手持ちタイプ小型電気掃除機の本体部分の縦断正面図。
【図５】本体ハウジング１の帯状ベルト４ピン止め固定部分のピン止め装置部品の断面図。
【図６】本体ハウジング１の帯状ベルト４のピン止め解放部分のフック装置部品の断面図。
【図７】アタッチメントケース３の縦断正面図。
【図８】隙間ノズル１６の全体斜視図。
【図９】平型ノズルの全体斜視図。
【図１０】細管ピンノズルの全体斜視図。
【図１１】ペット専用ノズルの全体斜視図。
【符号の説明】
１    本体ハウジング
２    吸い込みノズル差込み口付き集塵ダスト
３    アタッチメントケース
４    帯状ベルト
５    排気口
６    フィルター
７    ノズル差込み口逆流ストッパー
８    アタッチメントケースキャップ
９    電源コード
１０  排気、放熱口
１１  強、弱、ｏｆｆ、切り替えスイッチ
１２  吸入送風ファン
１３  電動機
１４  ノズル差込み口
１５  電源プラグ
１６  隙間ノズル
１７  平型ノズル
１８  細案ピンノズル
１９  ペット専用ノズル
２０  帯状ベルトピン止め固定装置
２１  帯状ベルト連結解放フック
２２  ホックボタン（雄）
２３  ホックボタン（雌）
【図１】
2004261322.tif 000003
【図２】
2004261322.tif 000004
【図３】
2004261322.tif 000005
【図４】
2004261322.tif 000006
【図５】
2004261322.tif 000007
【図６】
2004261322.tif 000008
【図７】
2004261322.tif 000009
【図８】
2004261322.tif 000010
【図９】
2004261322.tif 000011
【図１０】
2004261322.tif 000012
【図１１】
2004261322.tif 000013